(57)【要約】      （修正有）【課題】熱交換器の変形を防ぐことができる空気調和機の配管固定構造を提供する。【解決手段】配管固定構造が、冷媒配管接続部（５，６）が内部に位置する切欠部を有する本体部（１３０）と、切欠部に嵌め込まれて本体部（１３０）と共に冷媒配管接続部（５，６）を挟持する押さえ板（１４０）とを有する壁部（１１０）を備える。押さえ板（１４０）が、押さえ板本体（１４１）と、押さえ板本体（１４１）からケーシングの外部に向かって延びる延在部と、延在部から冷媒配管接続部（５，６）に向かって延びて延在部および冷媒配管接続部（５，６）を接続する接続部とを含む配管固定部（１４２，１４３）とを有している。【選択図】図４
2018197638.tif 000002
【特許請求の範囲】
【請求項１】
冷媒配管接続部（５，６）が貫通する壁部（１１０）を有するケーシング（１，２，３）を備えた空気調和機の配管固定構造であって、
上記壁部（１１０）が、
上記ケーシング（１，２，３）の内部から上記ケーシング（１，２，３）の外部まで延びている上記冷媒配管接続部（５，６）が内部に位置する切欠部（１３１）を有する本体部（１３０）と、
上記切欠部（１３１）に嵌め込まれて上記本体部（１３０）と共に上記冷媒配管接続部（５，６）を挟持する押さえ板（１４０）と
を有し、
上記押さえ板（１４０）が、
押さえ板本体（１４１）と、
上記押さえ板本体（１４１）から上記ケーシングの外部に向かって延びる延在部（１４４）と、上記延在部（１４４）から上記冷媒配管接続部（５，６）に向かって延びて上記延在部（１４４）および上記冷媒配管接続部（５，６）を接続する接続部（１４５）とを含む配管固定部（１４２，１４３）と
を有している、空気調和機の配管固定構造。
【請求項２】
請求項１の空気調和機の配管固定構造において、
上記延在部（１４４）が、上記冷媒配管接続部（５，６）の延在方向に沿って延びている、空気調和機の配管固定構造。
【請求項３】
請求項１または２の空気調和機の配管固定構造において、
上記ケーシングの外部に位置する上記冷媒配管接続部（５，６）の先端部（１５１）にスリット（１５４）が設けられ、
上記配管固定部（１４２，１４３）の接続部（１４５）が、上記スリット（１５４）に嵌合可能な突起部（１４６）を有し、
上記突起部（１４６）が上記スリット（１５４）に嵌合されて、上記延在部（１４４）と上記冷媒配管接続部（５，６）の先端部（１５１）とが接続されている、空気調和機の配管固定構造。
【請求項４】
請求項１から３のいずれか１つの空気調和機の配管固定構造において、
上記本体部（１３０）が、上記冷媒配管接続部（５，６）の近傍に配置されて上記押さえ板（１４０）を固定する押さえ板固定部（１３４）を有する、空気調和機の配管固定構造。
【請求項５】
請求項４に記載の空気調和機の配管固定構造において、
上記押さえ板固定部（１３４）が、上記本体部（１３０）を切り起こして形成された爪部で構成されている、空気調和機の配管固定構造。
【請求項６】
請求項１から５の空気調和機の配管固定構造を備えた室内機。
【発明の詳細な説明】
【技術分野】
【０００１】
本発明は、空気調和機の配管固定構造、および、これを用いた室内機に関する。
【背景技術】
【０００２】
特許文献１には、送風機、モータ、熱交換器、および、冷媒配管が納められたキャビネットを有する室内ユニットが天井に埋め込まれた天井埋め込み型の空気調和機が開示されている。この空気調和機では、キャビネットが、冷媒配管をその延在方向に直交する方向から挟持可能に分割されており、分割されたキャビネットの一方が、分割されたキャビネットの他方に対して着脱可能に構成されている。
【先行技術文献】
【特許文献】
【０００３】
【特許文献１】特許２５６１６７９号公報
【発明の概要】
【発明が解決しようとする課題】
【０００４】
しかし、上記空気調和機では、冷媒配管は、キャビネットによって挟まれているだけであるため、冷媒配管の延在方向への移動を規制することはできなかった。このため、例えば、空気調和機の据え付け時に冷媒配管が引っ張られると、冷媒配管が接続された熱交換器の配管が引っ張られて変形してしまい、異音の発生やガス漏れなどの不具合が生じるおそれがあった。
【０００５】
そこで、本発明は、熱交換器の変形を防ぐことができる空気調和機の配管固定構造、および、これを用いた空気調和機を提供することを課題とする。
【課題を解決するための手段】
【０００６】
本発明の一態様の空気調和機の配管固定構造は、
冷媒配管接続部が貫通する壁部を有するケーシングを備えた空気調和機の配管固定構造であって、
上記壁部が、
上記ケーシングの内部から上記ケーシングの外部まで延びている上記冷媒配管接続部が内部に位置する切欠部を有する本体部と、
上記切欠部に嵌め込まれて上記本体部と共に上記冷媒配管接続部を挟持する押さえ板と
を有し、
上記押さえ板が、
押さえ板本体と、
上記押さえ板本体から上記ケーシングの外部に向かって延びる延在部と、上記延在部から上記冷媒配管接続部に向かって延びて上記延在部および上記冷媒配管接続部を接続する接続部とを含む配管固定部と
を有している。
【０００７】
前記態様の空気調和機の配管固定構造によれば、押さえ板が、押さえ板本体からケーシングの外部に向かって延びる延在部、および、延在部から冷媒配管接続部に向かって延びて延在部と冷媒配管接続部とを接続する接続部で構成された配管固定部を有している。これにより、冷媒配管接続部のその延在方向への移動を規制できるので、例えば、冷媒配管接続部に接続された冷媒配管が引っ張られることによる熱交換器の配管の変形を防止できる。
【０００８】
また、本発明の一態様の空気調和機の配管固定構造は、
上記延在部が、上記冷媒配管接続部に沿って延びている。
【０００９】
前記態様の空気調和機の配管固定構造によれば、冷媒配管接続部のその延在方向への移動をより確実に規制できる。
【００１０】
また、本発明の一態様の空気調和機の配管固定構造は、
上記ケーシングの外部に位置する上記冷媒配管接続部の先端部にスリットが設けられ、
上記配管固定部の接続部が、上記スリットに嵌合可能な突起部を有し、
上記突起部が上記スリットに嵌合されて、上記延在部と上記冷媒配管接続部の先端部とが接続されている。
【００１１】
前記態様の空気調和機の配管固定構造によれば、簡単な構成で、冷媒配管接続部のその延在方向への移動を規制できる。
【００１２】
また、本発明の一態様の空気調和機の配管固定構造は、
上記本体部が、上記冷媒配管接続部の近傍に配置されて上記押さえ板を固定する押さえ板固定部を有している。
【００１３】
前記態様の空気調和機の配管固定構造によれば、押さえ板を本体部により確実に固定できる。
【００１４】
また、本発明の一態様の空気調和機の配管固定構造は、
上記押さえ板固定部が、上記本体部を切り起こして形成された爪部で構成されている。
【００１５】
前記態様の空気調和機の配管固定構造によれば、簡単な構成で、押さえ板を本体部に固定できる。
【００１６】
また、本発明の一態様の室内機は、
前記態様の空気調和機の配管固定構造を備えた。
【００１７】
前記態様の室内機によれば、前記態様の空気調和機の配管固定構造によって、例えば、冷媒配管接続部に接続された冷媒配管が引っ張られることによる熱交換器の配管の変形を防止できる。これにより、熱交換器の配管が変形することに起因する不具合が発生し難い室内機を提供できる。
【発明の効果】
【００１８】
本発明の一態様の空気調和機の配管固定構造によれば、冷媒配管が引っ張られることによる熱交換器の配管の変形を防止できる。
【００１９】
また、本発明の一態様の室内機によれば、冷媒配管が引っ張られることによる熱交換器の配管の変形を防止して、熱交換器の配管が変形することに起因する不具合が発生し難い室内機を実現できる。
【図面の簡単な説明】
【００２０】
【図１】本発明の一実施形態の配管固定構造を備えた空気調和機の室内機の斜視図。
【図２】図１の室内機の底面図。
【図３】図２のIII-III線に沿った断面図。
【図４】図１の室内機からパネルおよび電装品箱を取り外した状態を示す斜視図。
【図５】図４の室内機から押さえ板を取り外した状態を示す斜視図。
【図６】図１の室内機の押さえ板の斜視図。
【図７】図４のVII-VII線に沿った断面図。
【図８】図１の室内機のターボファン、熱交換器、および、仕切板の一例を示す平面図。
【発明を実施するための形態】
【００２１】
以下、本発明の一実施形態を添付図面に従って説明する。なお、以下の説明では、必要に応じて特定の方向あるいは位置を示す用語（例えば、「上」、「下」、「右」、「左」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００２２】
一実施形態の空気調和機の室内機１００は、図１に示すように、ケーシング本体１と、ケーシング本体１の一端（すなわち、図１の下端）に設けられた矩形板状のパネル２と、パネル２に取り付けられたグリル３とで構成されたケーシングを備えている。
【００２３】
ケーシング本体１は、略矩形箱状を有し、図３に示すように、その内部に、遠心ファンの一例のターボファン３０と、熱交換器４０と、仕切板５０とが収容されている。
【００２４】
ケーシング本体１のパネル２が取り付けられている面には、パネル２の板面に直交する方向に沿って見た平面視（以下、単に平面視という）において矩形状の吸込口１ａが設けられている。図２に示すように、ターボファン３０は、平面視において、吸込口１ａに位置するように配置されている。また、図３に示すように、ケーシング本体１の吸込口１ａとターボファン３０との間には、ベルマウス３２が設けられ、吸込口１ａとグリル３との間には、フィルタ４が設けられている。
【００２５】
熱交換器４０および仕切板５０は、図３に示すように、ターボファン３０の回転軸３１周りに配置されている。また、熱交換器４０および仕切板５０のケーシング本体１の吸込口１ａ側（すなわち、図３の下側）には、ドレンパン６０が配置されている。
【００２６】
熱交換器４０には、２つの管状の冷媒配管接続部５，６が接続されている。各冷媒配管接続部５，６は、図３に示すように、ケーシング本体１の内部の熱交換器４０から、平面視におけるケーシング本体１の長手方向に相対する一対の壁部１１０，１２０の一方（すなわち、図１の左側の壁部１１０）をその厚さ方向に貫通して、ケーシング本体１の外部まで延びている。また、各冷媒配管接続部５，６は、壁部１１０の平面視におけるケーシング本体１の短手方向の一端に配置されている。
【００２７】
各冷媒配管接続部５，６は、図７に示すように、その先端部に設けられ冷媒配管が接続可能な片ユニオン継手部１５１と、この片ユニオン継手部１５１と熱交換器４０とに接続された配管１５２と、この配管１５２の外周を覆いかつケーシング本体１の内部から片ユニオン継手部１５１まで延びる被挟持胴部１５３とを有している。各冷媒配管接続部５，６は、被挟持胴部１５３を介して後述するケーシング本体１の壁部１１０の本体部１３０と押さえ板１４０とで挟持されている共に、配管固定構造により、その延在方向（すなわち、平面視におけるケーシング本体１の長手方向）への移動が規制されていると共に、ケーシング本体１の外部で冷媒配管（図示せず）に接続可能に構成されている。
【００２８】
また、図３に示すように、ケーシング本体１の内部には、ターボファン３０からの吹出空気をパネル２の吹出口１０に案内する通風路Ｐが設けられている。
【００２９】
図１に示すように、ケーシング本体１の壁部１１０には、この壁部１１０からケーシング本体１の外部に向かって突出するドレンソケット７が設けられている。このドレンソケット７は、ケーシング本体１の短手方向における壁部１１０の略中央部に配置され、ケーシング本体１の外部でドレンホース（図示せず）を接続可能に構成されている。また、この壁部１１０には、電装品箱８が固定されている。電装品箱８は、ケーシング本体１の短手方向において、壁部１１０のドレンソケット７に対する冷媒配管接続部５，６の反対側の端部に配置されている。
【００３０】
ケーシング本体１の平面視における長手方向に相対する一対の壁部１１０，１２０の各々には、空気調和機の室内機１００を天井から吊り下げるための吊りボルト（図示せず）を接続可能な吊り金具１０１〜１０３が設けられている。
【００３１】
パネル２は、図３に示すように、その板厚方向の外面である開口面２ｂにパネル開口部２ａが設けられた凹部２ｃを有している。この凹部２ｃに、パネル２の板面に直交する方向に沿って見た平面視において矩形状のグリル３が着脱可能に取り付けられている。また、凹部２ｃの底面には、パネル２をその板厚方向に貫通する貫通孔２ｄが設けられており、この貫通孔２ｄにフィルタ４が配置されている。すなわち、図２に示すように、フィルタ４を取り外すことで、ターボファン３０が、貫通孔２ｄを介して、ケーシングの外部から視認可能になっている。
【００３２】
また、図２に示すように、パネル２のグリル３の長手方向の一方には、パネル２の短辺に沿って延びる吹出口１０が設けられている。この吹出口１０には、フラップ２０が回動可能に取り付けられている。なお、図１〜図３では、フラップ２０により吹出口１０が閉じられている状態を示している。
【００３３】
続いて、図４〜図７を参照して、上記室内機１００の配管固定構造について説明する。なお、図４および図５では、各冷媒配管接続部５，６の被挟持胴部１５３を省略している。
【００３４】
図４に示すように、壁部１１０は、本体部１３０と押さえ板１４０とを有している。
【００３５】
本体部１３０は、図５に示すように、２つの冷媒配管接続部５，６が内部に位置する切欠部１３１を有している。この切欠部１３１は、本体部１３０のパネル２が取り付けられている側の端部（すなわち、図４および図５の下端部）から、パネル２の板面に直交しかつパネル２から離れる方向（すなわち、図４および図５の上向き）に延びている。また、切欠部１３１の底部には、各冷媒配管接続部５，６がそれぞれ位置する第１溝部１３２および第２溝部１３３が設けられている。第１溝部１３２および第２溝部１３３の各々は、パネル２の板面に直交する方向に沿って延びており、パネル２から離れる方向に突出する凸曲面状の底部を有している。
【００３６】
また、本体部１３０は、図５に示すように、押さえ板１４０を固定する押さえ板固定部１３４を有している。この押さえ板固定部１３４は、本体部１３０を切り起こして形成され、第１溝部１３２および第２溝部１３３の近傍に、すなわち、２つの冷媒配管接続部５，６の近傍にそれぞれ配置された複数の爪部で構成されている。
【００３７】
押さえ板１４０は、図６に示すように、押さえ板本体１４１と、２つの配管固定部１４２，１４３とを有している。
【００３８】
押さえ板本体１４１は、図４に示すように、切欠部１３１に嵌め込み可能な板状を有し、切欠部１３１に嵌め込まれて壁部１１０の本体部１３０と共に冷媒配管接続部５，６をそれぞれ挟持する。
【００３９】
各配管固定部１４２，１４３は、図６に示すように、壁部１１０の切欠部１３１の第１溝部１３２および第２溝部１３３にそれぞれ隣接する押さえ板本体１４１の端部に設けられ、板状の延在部１４４と板状の接続部１４５とで構成されている。すなわち、配管固定部１４２，１４３は、押さえ板１４０が本体部１３０の切欠部１３１に嵌め込まれて固定された状態で、押さえ板固定部１３４の近傍に位置するように配置されている。
【００４０】
各延在部１４４は、図４に示すように、押さえ板本体１４１からケーシング本体１の外部に向かって、かつ、冷媒配管接続部５，６の延在方向に沿って略平行に延びている。また、各接続部１４５は、対応する延在部１４４から隣接する冷媒配管接続部５，６に向かって延びて、対応する延在部１４４と隣接する冷媒配管接続部５，６とを接続する。
【００４１】
詳しくは、各冷媒配管接続部５，６の片ユニオン継手部１５１には、図７に示すように、環状のスリット１５４が設けられている。また、図６に示すように、各配管固定部１４２，１４３の接続部１４５には、スリット１５４に嵌合可能な一対の突起部１４６が設けられている。
【００４２】
各配管固定部１４２，１４３の一対の突起部１４６を隣接する冷媒配管接続部５，６の片ユニオン継手部１５１にスリット１５４に嵌合することで、各延在部１４４と隣接する冷媒配管接続部５，６の先端部とが接続されて、２つの冷媒配管接続部５，６のその延在方向への移動がそれぞれ規制される。
【００４３】
なお、図６に示すように、押さえ板本体１４１は、その配管固定部１４２，１４３が設けられている端部の反対側の端部に、押さえ板本体１４１をケーシング本体１にねじ１６０（図４に示す）で固定するためのねじ固定部１４７を有している。すなわち、上記室内機１００では、押さえ板１４０は、本体部１３０の押さえ板固定部１３４と、ねじ１６０とで、本体部１３０に固定されている。
【００４４】
上記配管固定構造によれば、押さえ板１４０が、押さえ板本体１４１からケーシング本体１の外部に向かって延びる延在部１４４と、延在部１４４から冷媒配管接続部５，６に向かって延びて延在部１４４および冷媒配管接続部５，６を接続する接続部１４５とを含む配管固定部１４２，１４３を有している。これにより、冷媒配管接続部５，６のその延在方向への移動を規制できるので、例えば、接続配管（すなわち、冷媒配管接続部５，６に接続された冷媒配管）が引っ張られることによる熱交換器４０の配管１５２の変形を防止できる。
【００４５】
また、配管固定部１４２，１４３が、押さえ板本体１４１からケーシング本体１の外部に向かって延びる延在部１４４と、延在部１４４および冷媒配管接続部５，６を接続する接続部１４５とを有している。これにより、冷媒配管接続部５，６の先端部の片ユニオン継手部１５１をケーシング本体１の壁部１１０から離して、冷媒配管接続部５，６の先端部の片ユニオン継手部１５１への冷媒配管の接続を容易にするスペースを設けることができる。
【００４６】
なお、ケーシング本体１の壁部１１０の冷媒配管接続部５，６に近い法高の端部の外面に設けられている吊り金具１０３は、パネル２の板面に直交する方向において、他の吊り金具１０１，１０２よりもパネル２から離れた位置に設けられている。冷媒配管接続部５，６への冷媒配管の接続作業は、パネル２側から行われるため、冷媒配管接続部５，６に冷媒配管を接続するときに、吊り金具１０３が邪魔になるのを回避できて、据え付け性を向上させることができる。
【００４７】
また、延在部１４４が、冷媒配管接続部５，６に沿って延びているので、冷媒配管接続部５，６のその延在方向への移動をより確実に規制できる。
【００４８】
また、ケーシング本体１の外部に位置する冷媒配管接続部５，６の先端部にスリット１５４を有する片ユニオン継手部１５１が設けられ、配管固定部１４２，１４３の接続部１４５が、スリット１５４に嵌合可能な突起部１４６を有している。これにより、簡単な構成で、冷媒配管接続部５，６のその延在方向への移動をより確実に規制できる。
【００４９】
また、壁部１１０の本体部１３０が、押さえ板１４０を固定する押さえ板固定部１３４を有し、配管固定部１４２，１４３が、押さえ板１４０が切欠部１３１に嵌め込まれて固定された状態で、押さえ板固定部１３４の近傍に位置するように配置されている。これにより、押さえ板１４０を本体部１３０により確実に固定できる。
【００５０】
また、押さえ板固定部１３４が、本体部１３０を切り起こして形成された爪部で構成されている。これにより、簡単な構成で、押さえ板１４０を本体部１３０に固定できる。
【００５１】
また、上記配管固定構造を備えた室内機１００によれば、上記配管固定構造によって、冷媒配管が引っ張られることによる熱交換器４０の配管の変形を防止できる。これにより、熱交換器４０の配管１５２が変形することに起因する不具合が発生し難い室内機１００を提供できる。
【００５２】
なお、上記配管構造は、冷媒配管接続部５，６が、壁部１１０の本体部１３０と押さえ板１４０とで挟持されると共に、押さえ板１４０が、押さえ板本体１４１と配管固定部１４２，１４３とを有していればよい。
【００５３】
例えば、配管固定部１４２，１４３の延在部１４４は、冷媒配管接続部５，６の延在方向に沿って平行に延びていなくてもよいし、押さえ板固定部１３４は、複数の爪部に限らず、押さえ板１４０を本体部１３０に固定可能な他の構成を採用してもよいし、押さえ板固定部１３４を省略して、ねじ１６０のみで押さえ板１４０を本体部１３０に固定してもよい。
【００５４】
また、上記配管構造は、室内機１００の冷媒配管に限らず、空気調和機で用いられる任意の配管に適用可能である。
【００５５】
また、上記配管固定構造は、先端部にスリット１５４を有する片ユニオン継手部１５１が設けられている冷媒配管接続部５，６に限らず、他の構成の冷媒配管接続部に対しても、その延在方向の移動を規制できる。すなわち、配管固定部の数、並びに、配管固定部の延在部および接続部の形状、大きさ、および、構造等は、上記実施形態に限らず、冷媒配管接続部に応じて適宜変更できる。
【００５６】
ターボファン３０、熱交換器４０、および、仕切板５０の一例を図８に示す。図８のケーシング本体１は、吹出口１０側の第１壁部１１と、その第１壁部１１に対向する第２壁部１２と、第１壁部１１と第２壁部１２との間に設けられて互いに対向する第３壁部１３と第４壁部１４とを有する。
【００５７】
熱交換器４０は、平面視において、第１熱交換部４１と、第１熱交換部４１に対してターボファン３０の回転方向の上流側に位置する第２熱交換部４２と、上記第１熱交換部４１に対してターボファン３０の回転方向の下流側に位置する第３熱交換部４３とを有する。
【００５８】
そして、円弧形状の仕切板５０を介して熱交換器４０の両端を連結して、熱交換器４０と仕切板５０によりターボファン３０を囲んでいる。
【００５９】
熱交換器４０の第３熱交換部４３の端部に配管接続部５,６を接続している。また、ケーシング本体１内かつ仕切板５０と第２壁部１２との間の第２壁部１２側に、ドレンポンプ７０を配置している。
【００６０】
なお、熱交換器４０は、第１熱交換部４１、第２熱交換部４２、および、第３熱交換部４３とで構成されている場合に限らず、例えば、円弧形状あるいはＶ字形状を有する熱交換器であってもよい。
【００６１】
上記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００６２】
１  ケーシング本体
１ａ  吸込口
２  パネル
２ａ  パネル開口部
２ｂ  開口面
２ｃ  凹部
２ｄ  貫通孔
３  グリル
４  フィルタ
５，６  冷媒配管接続部
７  ドレンソケット
８  電装品箱
１０  吹出口
２０  フラップ
３０  ターボファン
３１  回転軸
３２  ベルマウス
４０  熱交換器
５０  仕切板
６０  ドレンパン
１００  室内機
１０１，１０２，１０３  吊り金具
１１０，１２０  壁部
１３０  本体部
１３１  切欠部
１３２  第１溝部
１３３  第２溝部
１３４  押さえ板固定部
１４０  押さえ板
１４１  押さえ板本体
１４２，１４３  配管固定部
１４４  延在部
１４５  接続部
１４６  突起部
１４７  ねじ固定部
１５１  片ユニオン継手部
１５２  配管
１５３  被挟持胴部
１５４  スリット
１６０  ねじ
【図１】
2018197638.tif 000003
【図２】
2018197638.tif 000004
【図３】
2018197638.tif 000005
【図４】
2018197638.tif 000006
【図５】
2018197638.tif 000007
【図６】
2018197638.tif 000008
【図７】
2018197638.tif 000009
【図８】
2018197638.tif 000010